(57)【特許請求の範囲】
【請求項１】
直列接続された複数の電池セル（Ｂ１１〜Ｂ３６）で形成されたブロック（ＢＬ１，ＢＬ２，ＢＬ３）を複数個と、前記ブロック同士を直列接続する接続部材（Ｗ１，Ｗ２）と、を備える組電池（１０）に適用され、
前記電池セルを含まず前記接続部材を含む第１経路の両端間の電圧を検出する第１検出回路（２０）と、
前記接続部材に並列接続され、前記接続部材に接続されている２つの前記ブロックにおいて、低電圧側の前記ブロックの正極から高電圧側の前記ブロックの負極の方向にのみ電流を流すダイオード（ＤＷ１，ＤＷ２）と、
前記接続部材と、少なくとも一つの前記電池セルとを含む閉回路を形成することで、前記接続部材に電流を流す閉回路形成部（ＳＷ）と、
前記組電池に対して充放電電流が流れていない場合に、前記閉回路形成部により前記閉回路が形成されている状態における前記第１検出回路の検出値に基づいて、前記接続部材における開異常が生じているか否かの判定を行う第１異常判定部（３０）と、を備えることを特徴とする異常判定装置。
【請求項２】
前記第１異常判定部は、前記第１検出回路による検出値と正常値との差異が所定の閾値以上である場合に、前記接続部材に開異常が生じていると判定することを特徴とする請求項１に記載の異常判定装置。
【請求項３】
前記閾値は、前記ダイオードの順方向降下電圧に基づいて設定されていることを特徴とする請求項２に記載の異常判定装置。
【請求項４】
前記閉回路は、前記第１経路と複数の前記電池セルとを含む第２経路の正極（ＰＢ）及び負極（ＰＧ）の間に接続される、抵抗素子（ＲＡ１，ＲＡ２）と前記閉回路形成部としてのスイッチング素子（ＳＷ）とを備え、前記スイッチング素子がオン状態とされることで前記閉回路を形成し、
前記スイッチング素子がオン状態とされている場合に、前記抵抗素子に生じる電圧に基づいて、前記第２経路の両端間の電圧を検出する第２検出回路（２０）と、
前記第２経路を構成する全ての前記電池セルの電圧をそれぞれ検出する第３検出回路（２０）と、
前記第２検出回路による検出値と、前記第３検出回路による検出値の合計値とを比較することで、前記第３検出回路に異常が生じているか否かを判定する第２異常判定部（３０）と、を備えることを特徴とする請求項１乃至３のいずれか１項に記載の異常判定装置。
【発明の詳細な説明】
【技術分野】
【０００１】
直列接続された複数の電池セルで形成された複数のブロックと、そのブロック同士を直列接続する接続部材と、を備える組電池に適用される異常判定装置。
【背景技術】
【０００２】
直列接続された複数の電池セルで形成された複数のブロックと、そのブロック同士を直列接続する接続部材とを備える組電池において、そのブロック間の導通状態が遮断される接続部材の開異常を判定する異常判定装置が用いられている（特許文献１）。
【先行技術文献】
【特許文献】
【０００３】
【特許文献１】特開２０１５−８３９６０号公報
【発明の概要】
【発明が解決しようとする課題】
【０００４】
上記特許文献１に開示の構成では、新たなスイッチング素子及び抵抗素子の追加が必要になるとともに、フライングキャパシタに対する充放電制御が必要となり、構成が複雑化する。
【０００５】
本発明は、上記課題に鑑みて為されたものであり、組電池を構成するブロック間の導通状態が遮断される接続部材の開異常を判定する異常判定装置において、その構成を簡易化することを主たる目的とする。
【課題を解決するための手段】
【０００６】
本構成は、直列接続された複数の電池セル（Ｂ１１〜Ｂ３６）で形成されたブロック（ＢＬ１，ＢＬ２，ＢＬ３）を複数個と、前記ブロック同士を直列接続する接続部材（Ｗ１，Ｗ２）と、を備える組電池（１０）に適用され、前記ブロック及び前記接続部材において、前記接続部材を含む第１直列回路の電圧を検出する第１検出回路（２０）と、前記接続部材に並列接続され、前記接続部材に接続されている２つの前記ブロックにおいて、低電圧側の前記ブロックの正極から高電圧側の前記ブロックの負極の方向にのみ電流を流すダイオード（ＤＷ１，ＤＷ２）と、前記接続部材と、少なくとも一つの前記電池セルとを含む閉回路を形成することで、前記接続部材に電流を流す閉回路形成部（ＳＷ）と、前記組電池に対して充放電電流が流れていない場合に、前記閉回路形成部により前記閉回路が形成されている状態における前記第１検出回路の検出値に基づいて、前記接続部材における開異常が生じているか否かの判定を行う第１異常判定部（３０）と、を備えることを特徴とする。
【０００７】
上記構成によれば、閉回路が形成されている状態では、接続部材における開異常が生じていない場合には、接続部材に電流が流れ、接続部材における開異常が生じている場合には、ダイオードに電流が流れる。その結果、接続部材における開異常が生じていない場合、第１検出回路の検出値は、第１直列回路を構成する電池セルの各電圧の合計値となる。また、接続部材における開異常が生じている場合、第１検出回路の検出値は、第１直列回路を構成する電池セルの各電圧の合計値からダイオードにおける順方向降下電圧を引いた値となる。このため、閉回路が形成されている状態における第１検出回路の検出値に基づいて、接続部材における開異常が生じているか否かの判定を行うことが可能になる。つまり、簡易な構成で接続部材の開異常を判定することが可能になる。
【０００８】
また、第１直列回路は、電池セルを１つも含まず、接続部材を含む構成であってもよい。この構成では、接続部材における開異常が生じていない場合、第１検出回路の検出値は、約０Ｖとなり、接続部材における開異常が生じている場合、第１検出回路の検出値は、ダイオードにおける順方向降下電圧（マイナス値）となる。
【図面の簡単な説明】
【０００９】
【図１】本実施形態における組電池及び異常判定装置の電気的構成図。
【図２】異常判定処理を表すフローチャート。
【図３】変形例における組電池及び異常判定装置の電気的構成図。
【発明を実施するための形態】
【００１０】
以下、異常判定装置をハイブリッド車両に適用した各実施形態について、図面を参照しつつ説明する。ハイブリッド車両は、モータに電力を供給する主機バッテリである組電池を備えている。また、モータは発電機としても動作するモータジェネレータであり、モータジェネレータと組電池とで車両の電源システムを構成する。モータジェネレータと組電池との間には、リレースイッチ（メインリレー）が設けられている。
【００１１】
図１に本実施形態における組電池１０及び組電池１０に適用される異常判定装置の電気的構成図を示す。異常判定装置は、監視回路２０及び制御装置３０を備えている。
【００１２】
組電池１０は、電池セルＢの直列接続体として構成されている。なお、本実施形態の各電池セルＢは、リチウムイオン二次電池により構成されている。
【００１３】
組電池１０は、各々隣り合う電池セルＢごとに区分された複数のブロックＢＬ１〜ＢＬ３を構成する。ここで、電池セルＢを、電池セルＢｉｊ（ｉ＝１，２，３；ｊ＝１〜６）と記載する。指標ｉは、その電池セルＢがどのブロックＢＬ１〜ＢＬ３に属しているのかを表す。指標ｊは組電池１０としての正極に近い側の電池セルＢから１，２，３，４，５，６として表す。電池セルＢ１１〜Ｂ１３がブロックＢＬ１に属し、電池セルＢ２１〜Ｂ２３がブロックＢＬ２に属し、電池セルＢ３１〜Ｂ３３がブロックＢＬ３に属する。
【００１４】
ブロックＢＬ１を構成する電池セルＢ１１〜Ｂ１６は、一体として形成され、電池スタックを構成する。具体的には、ブロックＢＬ１において、互いに隣接する電池セルＢ１１〜Ｂ１６の正極と負極とが金属製の棒状の接続部材であるバスバーによって接続されている。例えば、電池セルＢ１１の負極と電池セルＢ１２の正極とがバスバーによって接続されている。ブロックＢＬ２，ＢＬ３を構成する電池セルＢ２１〜Ｂ２６，Ｂ３１〜Ｂ３６についても、ブロックＢＬ１と同様に、それぞれ一体として形成され、電池スタックを構成する。
【００１５】
また、ブロックＢＬ１の負極（電池セルＢ１６の負極）とブロックＢＬ２の正極（電池セルＢ２１の正極）との間は、金属製の接続部材であるワイヤーＷ１によって接続されている。同様に、ブロックＢＬ２の負極（電池セルＢ２６の負極）とブロックＢＬ３の正極（電池セルＢ３１の正極）との間は、金属製の接続部材であるワイヤーＷ２によって接続されている。ワイヤーＷ１，Ｗ２は、車両に対する組電池１０の組み付け時において、接続される。
【００１６】
監視回路２０は、組電池１０の状態を監視する回路であり集積回路化されている。具体的には、監視回路２０は、各電池セルＢの端子間電圧を検出する。監視回路２０は、電池セルＢｉｊに対応する端子ＰＰｉｊ，ＰＮｉｊを備えている。端子ＰＰｉｊは、電池セルＢｉｊの正極に接続され、端子ＰＮｉｊは、電池セルＢｉｊの負極に接続される。また、監視回路２０は、マルチプレクサ２１（ＭＵＸ）及びアナログデジタルコンバータ２２（ＡＤＣ）を備えている。端子ＰＰｉｊ，ＰＮｉｊは、ＭＵＸ２１を介して、ＡＤＣ２２に接続されている。ＭＵＸにより選択された端子間の電圧（各電池セルＢｉｊの電圧）のアナログ値が、ＡＤＣ２２に入力される。
【００１７】
制御装置３０は、各電池セルＢｉｊの端子間電圧の検出値を監視回路２０のＡＤＣ２２から取得する。そして、その取得した各電池セルＢｉｊの端子間電圧から推定される各電池セルＢｉｊの充電率（SOC: State of charge）に基づいて、モータジェネレータの発電動作及び回生動作の制御を実施する。また、制御装置３０は、各電池セルＢのＳＯＣに基づいて、各電池セルＢのＳＯＣが等しくなるように均等化放電を実施する。
【００１８】
監視回路２０の外部において、端子ＰＰｉｊと端子ＰＮｉｊとの間には、ツェナーダイオードＤＴｉｊが接続されている。ツェナーダイオードＤＴｉｊは、電池セルＢ間の接続において開異常が生じた場合に、組電池１０における過電圧の発生を抑制する。ここで、電池セルＢ間の接続における開異常は、例えば、バスバーの接続外れに起因して生じる。
【００１９】
また、端子ＰＰｉｊと端子ＰＮｉｊとの間には、バイパスコンデンサＣｉｊが接続されている。バイパスコンデンサＣｉｊは、放射ノイズなどを原因として、端子ＰＰｉｊと端子ＰＮｉｊとの間に印加される電圧が急激に変動することを抑制する。また、電池セルＢｉｊの正極及び負極と、端子ＰＰｉｊ，ＰＮｉｊとの間には、抵抗素子ＲＰｉｊ，ＲＮｉｊがそれぞれ接続されている。抵抗素子ＲＰｉｊ，ＲＮｉｊ及びバイパスコンデンサＣｉｊはローパスフィルタとして機能する。
【００２０】
監視回路２０の内部において、端子ＰＰｉｊと端子ＰＮｉｊとの間には、放電スイッチＳＡｉｊが接続されている。放電スイッチＳＡｉｊがオン状態とされることで、電池セルＢｉｊの正極、抵抗素子ＲＰｉｊ、端子ＰＰｉｊ、放電スイッチＳＡｉｊ、端子ＰＮｉｊ、抵抗素子ＲＮｉｊ、電池セルＢｉｊの負極の順に電流が流れる。制御装置３０は、放電スイッチＳＡｉｊをオン状態とすることで、電池セルＢｉｊを放電し、電池セルＢｉｊのＳＯＣを所定値まで低下させることができる。
【００２１】
また、監視回路２０の内部において、端子ＰＰｉｊと端子ＰＮｉｊとの間には、ダイオードＤＰｉｊが接続されている。また、端子ＰＮｉｊと端子ＰＰｉ（ｊ＋１）との間には、ダイオードＤＮｉｊが接続されている。また、ダイオードＤＰｉｊ，ＤＮｉｊは、低電圧側の端子にアノードが接続され、高電圧側の端子にカソードが接続されている。例えば、端子ＰＰ１１と端子ＰＮ１１との間には、ダイオードＤＰ１１が接続されており、端子ＰＮ１１と端子ＰＰ１２との間には、ダイオードＤＮ１１が接続されている。ダイオードＤＰｉｊ，ＤＮｉｊは、端子ＰＰｉｊ，ＰＮｉｊに対して瞬時的に過電圧が印加された場合に、監視回路２０を構成する素子を保護することができる。
【００２２】
監視回路２０の外部において、ワイヤーＷ１と並列にツェナーダイオードＤＴＷ１ａ，ＤＴＷ１ｂが接続されている。ツェナーダイオードＤＴＷ１ａは、端子ＰＮ１６側にアノードが、端子ＰＰ２１側にカソードがそれぞれ接続されている。ツェナーダイオードＤＴＷ１ｂは、端子ＰＰ２１側にアノードが、端子ＰＮ１６側にカソードがそれぞれ接続されている。同様に、監視回路２０の外部において、ワイヤーＷ２と並列にツェナーダイオードＤＴＷ２ａ，ＤＴＷ２ｂが接続されている。ツェナーダイオードＤＴＷ２ａは、端子ＰＮ２６側にアノードが、端子ＰＰ３１側にカソードがそれぞれ接続されている。ツェナーダイオードＤＴＷ２ｂは、端子ＰＰ３１側にアノードが、端子ＰＮ２６側にカソードがそれぞれ接続されている。ツェナーダイオードＤＴＷ１ａ，ＤＴＷ１ｂ，ＤＴＷ２ａ，ＤＴＷ２ｂは、ワイヤーＷ１，Ｗ２において開異常が生じた場合に、組電池１０における過電圧の発生を抑制する。
【００２３】
また、監視回路２０の内部において、ワイヤーＷ１，Ｗ２に対し、ダイオードＤＷ１，ＤＷ２がそれぞれ並列接続されている。ダイオードＤＷ１は、ブロックＢＬ１の負極にカソードが接続されており、ブロックＢＬ２の正極にアノードが接続されている。また、ダイオードＤＷ２は、ブロックＢＬ２の負極にカソードが接続されており、ブロックＢＬ３の正極にアノードが接続されている。ダイオードＤＷ１，ＤＷ２は、ワイヤーＷ１，Ｗ２の開異常に伴い端子ＰＮ２６，ＰＮ３６Ｐに対して瞬時的に過電圧が印加された場合に、監視回路２０を構成する素子を保護することができる。
【００２４】
さらに、監視回路２０は、端子ＰＢ，ＰＧを備えている。端子ＰＢは、ブロックＢＬ１の正極に接続され、端子ＰＧは、ブロックＢＬ３の負極（接地電位）に接続される。端子ＰＢと端子ＰＧとの間の電圧は、監視回路２０内部の抵抗素子ＲＡ１，ＲＡ２によって分圧された後、ＭＵＸ２１を介して、ＡＤＣ２２に入力される。
【００２５】
制御装置３０は、監視回路２０のＡＤＣ２２から端子ＰＢ，ＰＧ間の電圧を組電池１０全体（第２直列回路）の電圧の検出値として取得する。また、端子ＰＢ，ＰＧとの間において、抵抗素子ＲＡ１，ＲＡ２には、スイッチＳＷ（スイッチング素子）が直列接続されている。スイッチＳＷがオン状態とされることで、電池セルＢ１１〜Ｂ３６とワイヤーＷ１，Ｗ２とを含む閉回路が形成される。制御装置３０が監視回路２０に対し、スイッチＳＷをオン状態とする指令を出力することで、制御装置３０は組電池１０の全体の端子間電圧の検出値を取得することができる。ここで、スイッチＳＷをオフ状態とすることで、組電池１０から抵抗素子ＲＡ１，ＲＡ２へ流れる電流を停止できるため、スイッチＳＷを設けることで、電力損失を抑制することが可能になる。
【００２６】
「第２異常判定部」としての制御装置３０は、「第２検出回路」としての監視回路２０によって検出された組電池１０全体の電圧の検出値と、「第３検出回路」としての監視回路２０によって検出された各電池セルＢの電圧の検出値との総和とを比較する。制御装置３０は、比較の結果、所定値以上の差異が生じている場合に、各電池セルＢの電圧の検出において異常が生じていると判定する。
【００２７】
ここで、組電池１０の車両に対する組み付け時において、組み付け忘れなどに起因して、ワイヤーＷ１，Ｗ２に開異常が生じることが懸念される。また、車両の走行時において、断線などに起因して、ワイヤーＷ１，Ｗ２に開異常が生じることが懸念される。そこで、「第１異常判定部」としての制御装置３０は、ワイヤーＷ１，Ｗ２における開異常の発生を判定する。
【００２８】
以下、制御装置３０によるワイヤーＷ１における開異常の発生の判定について説明を行う。制御装置３０は、ワイヤーＷ１（第１直列回路）に生じる電圧Ｖ１を監視回路２０から取得し、その電圧値に基づいて、ワイヤーＷ１における開異常が生じているか否かの判定を行う。「第１検出回路」としての監視回路２０は、組電池１０に対して電流が流れている状況下で、端子ＰＮ１６と端子ＰＰ２１との間の電圧を、ワイヤーＷ１に生じる電圧Ｖ１として検出する。
【００２９】
開異常が生じていない場合、電圧Ｖ１は、ワイヤーＷ１の抵抗成分が小さいため、約０Ｖとなる。一方、開異常が生じている場合、ワイヤーＷ１には電流が流れず、ダイオードＤＷ１に対して電流が流れる。このため、ダイオードＤＮ１６に順方向降下電圧Ｖｆが生じ、電圧Ｖ１は、−Ｖｆ（約−０．６Ｖ）となる。
【００３０】
ここで、ワイヤーＷ１，Ｗ２に開異常が生じている状態で組電池１０に充放電電流が流れると、監視回路２０（特に、ダイオードＤＷ１，ＤＷ２）やツェナーダイオードＤＴＷ１ａ，ＤＴＷ１ｂ，ＤＴＷ２ａ，ＤＴＷ２ｂに対して大電流が流れ、損傷が生じることが懸念される。そこで、本実施形態の制御装置３０は、組電池１０に対して充放電電流が流れていない状況下で、組電池１０に流れる充放電電流より十分に小さな電流をワイヤーＷ１，Ｗ２及びダイオードＤＷ１，ＤＷ２に対して流す。
【００３１】
具体的には、制御装置３０は、組電池１０に対して充放電電流が流れていない状況下で、「閉回路形成部」としてのスイッチＳＷをオン状態にする。スイッチＳＷがオン状態にされると、組電池１０、抵抗素子ＲＡ１，ＲＡ２、及び、スイッチＳＷによって閉回路が形成される。組電池１０を構成する電池セルＢの電圧によって、組電池１０、抵抗素子ＲＡ１，ＲＡ２、及び、スイッチＳＷにより構成される閉回路に電流が流れる。これにより、ワイヤーＷ１，Ｗ２及びダイオードＤＷ１，ＤＷ２に対し、充放電電流よりも十分に小さな電流が流れることになる。
【００３２】
制御装置３０は、スイッチＳＷをオン状態にし、ワイヤーＷ１，Ｗ２及びダイオードＤＷ１，ＤＷ２に対し電流が流れている状況下で、端子ＰＮ１６と端子ＰＰ２１との間の電圧Ｖ１、及び、端子ＰＮ２６と端子ＰＰ３１との間の電圧Ｖ２の検出値を取得する。そして、その検出値に基づいて、ワイヤーＷ１，Ｗ２の開異常を判定する。
【００３３】
図２に、ワイヤーＷ１，Ｗ２の開異常判定処理を表すフローチャートを示す。本処理は、制御装置３０によって、所定周期ごとに実施される。
【００３４】
ステップＳ０１において、車両の電源システムがオン状態か否かを判定する。より具体的には、電源システムがイグニッションオンの状態であるか否かを判定する。次に、電源システムがオン状態である場合（Ｓ０１：ＹＥＳ）、ステップＳ０２において、組電池１０とモータジェネレータとを接続状態又は遮断状態とするメインリレーがオフ状態か否かを判定する。メインリレーがオフ状態とされている場合、組電池１０に充放電電流は流れない。電源システムがオフ状態の場合（Ｓ０１：ＮＯ）、又は、メインリレーがオン状態である場合（Ｓ０２：ＮＯ）、処理を終了する。
【００３５】
メインリレーがオフ状態である場合（Ｓ０２：ＹＥＳ）、ステップＳ０３において、スイッチＳＷをオン状態とする。スイッチＳＷがオン状態とされた後、ステップＳ０４において、電圧Ｖ１，Ｖ２を取得する。ステップＳ０５において、電圧Ｖ１が所定の閾値であるダイオードＤＷ１の順方向降下電圧−Ｖｆ（約−０．６Ｖ）であるか否かを判定する。電圧Ｖ１がダイオードＤＷ１の順方向降下電圧−Ｖｆとほぼ一致する場合（Ｓ０５：ＹＥＳ）、ステップＳ０６において、ワイヤーＷ１における開異常が生じていると判定する。また、電圧Ｖ１が約０Ｖである場合（Ｓ０５：ＮＯ）、ステップＳ０７において、ワイヤーＷ１に開異常が生じていないと判定する。
【００３６】
ステップＳ０６，Ｓ０７の後、ステップＳ０８において、電圧Ｖ２が、所定の閾値であるダイオードＤＷ２の順方向降下電圧−Ｖｆ（約−０．６Ｖ）であるか否かを判定する。電圧Ｖ２がダイオードＤＷ２の順方向降下電圧−Ｖｆとほぼ一致する場合（Ｓ０８：ＹＥＳ）、ステップＳ０９において、ワイヤーＷ２における開異常が生じていると判定する。また、電圧Ｖ２が約０Ｖである場合（Ｓ０８：ＮＯ）、ステップＳ１０において、ワイヤーＷ２に開異常が生じていないと判定する。ステップＳ０９，１０の後、ステップＳ１１において、スイッチＳＷをオフ状態にして、処理を終了する。なお、制御装置３０は、ワイヤーＷ１，Ｗ２において、開異常が生じていると判定した場合、その異常をユーザー等に報知する。
【００３７】
以下、本実施形態の効果を記載する。
【００３８】
上記構成によれば、閉回路が形成されている状態では、ワイヤーＷ１，Ｗ２における開異常が生じていない場合には、ワイヤーＷ１，Ｗ２に電流が流れ、ワイヤーＷ１，Ｗ２における開異常が生じている場合には、ダイオードＤＷ１，ＤＷ２に電流が流れる。その結果、ワイヤーＷ１，Ｗ２における開異常が生じていない場合、電圧Ｖ１，Ｖ２の検出値は、第１直列回路を構成する電池セルＢｉｊの各電圧の合計値となる。また、ワイヤーＷ１，Ｗ２における開異常が生じている場合、電圧Ｖ１，Ｖ２の検出値は、第１直列回路を構成する電池セルの各電圧の合計値からダイオードＤＷ１，ＤＷ２における順方向降下電圧Ｖｆを引いた値となる。このため、閉回路が形成されている状態における電圧Ｖ１，Ｖ２の検出値に基づいて、ワイヤーＷ１，Ｗ２における開異常が生じているか否かの判定を行うことが可能になる。つまり、簡易な構成でワイヤーＷ１，Ｗ２の開異常を判定することが可能になる。
【００３９】
また、本実施形態では、「第１直列回路」として、電池セルＢを１つも含まず、ワイヤーＷ１，Ｗ２のみを含む構成とした。ワイヤーＷ１，Ｗ２に接続される両端子間（ＰＮ１６−ＰＰ２１，ＰＮ２６−ＰＰ３１）の電圧Ｖ１，Ｖ２を検出することで、正常時における電圧Ｖ１，Ｖ２の検出値が約０Ｖ（正常値）、開異常時における電圧Ｖ１，Ｖ２の検出値が約−０．６Ｖ（順方向降下電圧Ｖｆ）となる。このため、正常時と異常時との差異が顕著になり、異常判定の精度を向上させることが可能になる。また、正常時における電圧が一定値である約０Ｖとなることで、ワイヤーＷ１，Ｗ２及びダイオードＤＷ１，ＤＷ２に電流が流れていない状態における電圧Ｖ１，Ｖ２の検出値（正常値）の取得を省略でき、処理を簡略化できる。
【００４０】
本実施形態の構成では、監視回路２０は、複数の電池セルＢ１１〜Ｂ３６とワイヤーＷ１，Ｗ２との直列接続体である組電池１０（第２直列回路）の電圧を検出する機能（第２検出回路）を備えている。また、組電池１０を構成する全ての電池セルＢ１１〜Ｂ３６の電圧をそれぞれ検出する機能（第３検出回路）を備えている。「第２異常判定部」としての制御装置３０は、第２検出回路による検出値と、第３検出回路による検出値の合計値とを比較することで、第３検出回路に異常が生じているか否かを判定することができる。より具体的には、第２検出回路による検出値と、第３検出回路による検出値の合計値とが一致する場合に、第３検出回路が正常であると判定する。また、第２検出回路による検出値と、第３検出回路による検出値の合計値との間に所定値以上の差異が生じている場合に、第３検出回路に異常が生じていると判定する。
【００４１】
ここで、第２検出回路による電圧の検出に用いられる閉回路（スイッチＳＷ，抵抗素子ＲＡ１，ＲＡ２）を、ワイヤーＷ１，Ｗ２の開異常の判定時において、ワイヤーＷ１，Ｗ２に電流を流す閉回路として兼用することで、監視回路２０に用いる素子の数を低減することが可能となる。
【００４２】
（他の実施形態）
・上記実施形態では、ワイヤーＷ１の開異常の発生を判定するために、ワイヤーＷ１の両端に接続されている端子ＰＮ１６及び端子ＰＰ２１の間の電圧Ｖ１を検出する構成としたが、これを変更してもよい。
【００４３】
例えば、ワイヤーＷ１の開異常の発生を判定するために、ワイヤーＷ１、及び、電池セルＢ１６，Ｂ２１の直列接続体（第１直列回路）の両端に接続されている端子ＰＰ１６，ＰＮ２１との間の電圧を検出する構成としてもよい。この構成では、組電池１０に充放電電流が流れておらず、かつ、スイッチＳＷがオフ状態とされている状態では、制御装置３０によって、端子ＰＰ１６，ＰＮ２１との間の電圧の検出値として、電池セルＢ１６，Ｂ２１の端子間電圧の和が取得される。
【００４４】
さらに、スイッチＳＷがオン状態とされ、かつ、ワイヤーＷ１に開異常が生じていない状態では、端子ＰＰ１６，ＰＮ２１との間の電圧の検出値として、電池セルＢ１６，Ｂ２１の端子間電圧の和が取得される。また、スイッチＳＷがオン状態とされ、かつ、ワイヤーＷ１に開異常が生じている状態では、端子ＰＰ１６，ＰＮ２１との間の電圧の検出値として、電池セルＢ１６，Ｂ２１の端子間電圧の和からダイオードＤＷ１の順方向降下電圧Ｖｆを引いた値が取得される。
【００４５】
そこで、第１異常判定部としての制御装置３０は、組電池１０に充放電電流が流れていない場合に、スイッチＳＷがオフ状態とされている状況下で、端子ＰＰ１６，ＰＮ２１との間の電圧の検出値を取得する。さらに、組電池１０に充放電電流が流れていない場合に、スイッチＳＷがオン状態とし、スイッチＳＷがオン状態とされている状況下で、端子ＰＰ１６，ＰＮ２１との間の電圧の検出値を取得する。
【００４６】
制御装置３０は、スイッチＳＷがオフ状態とされている場合に取得された電圧の検出値と、スイッチＳＷがオン状態とされている場合に取得された電圧の検出値との比較に基づいて、ワイヤーＷ１の開異常を判定することができる。
【００４７】
具体的には、制御装置３０は、スイッチＳＷがオフ状態とされている場合に取得された電圧の検出値と比較して、スイッチＳＷがオン状態とされている状況で取得された電圧の検出値が変化しない場合に、開異常が生じていないと判定する。また、制御装置３０は、スイッチＳＷがオフ状態とされている状況で取得された電圧の検出値と比較して、スイッチＳＷがオン状態とされている状況で取得された電圧の検出値が、順方向降下電圧Ｖｆ分減少している場合に、開異常が生じていると判定する。このように、ワイヤーＷ１と電池セルＢとを含む直列接続体の電圧に基づいて、ワイヤーＷ１の開異常を判定することができる。
【００４８】
また、例えば、ワイヤーＷ１及びワイヤーＷ２の少なくともいずれか一方に開異常が発生しているか否かを判定するために、組電池１０全体の電圧、つまり、端子ＰＢと端子ＰＧとの間の電圧の検出値を用いる構成としてもよい。
【００４９】
第１異常判定部としての制御装置３０は、組電池１０に充放電電流が流れていない場合に、スイッチＳＷがオフ状態とされている状況下で、端子ＰＢ，ＰＧの間の電圧の検出値を取得する。さらに、組電池１０に充放電電流が流れていない場合に、スイッチＳＷがオン状態とし、スイッチＳＷがオン状態とされている状況下で、端子ＰＢ，ＰＧの間の電圧の検出値を取得する。
【００５０】
制御装置３０は、スイッチＳＷがオフ状態とされている状況下で取得された電圧の検出値と、スイッチＳＷがオン状態とされている状況下で取得された電圧の検出値との比較に基づいて、ワイヤーＷ１及びワイヤーＷ２の少なくともいずれか一方の開異常を判定することができる。
【００５１】
具体的には、制御装置３０は、スイッチＳＷがオフ状態とされている状況下で取得された電圧の検出値と比較して、スイッチＳＷがオン状態とされている状況下で取得された電圧の検出値が変化しない場合に、ワイヤーＷ１，Ｗ２においてともに開異常が生じていないと判定する。また、制御装置３０は、スイッチＳＷがオフ状態とされている状況下で取得された電圧の検出値と比較して、スイッチＳＷがオン状態とされている状況下で取得された電圧の検出値が、順方向降下電圧Ｖｆ分減少している場合に、ワイヤーＷ１，Ｗ２のいずれか一方に開異常が生じていると判定する。このように、組電池１０全体の電圧に基づいて、ワイヤーＷ１，Ｗ２の少なくともいずれか一方に開異常が発生していることを判定できる。
【００５２】
つまり、端子間電圧を開異常の判定に用いる第１直列回路について、複数のワイヤーＷ１，Ｗ２を含む構成としてもよい。このような構成にすることで、複数のワイヤーＷ１，Ｗ２における開異常を簡易な処理で判定することができる。
【００５３】
・上記実施形態では、ワイヤーＷ１の開異常の発生を判定するために、組電池１０全体の電圧を検出するために用いるスイッチＳＷをオン状態にする構成としたが、これを変更してもよい。
【００５４】
例えば、図３に示すように、電池セルＢ１１〜Ｂ２３の直列接続体（第２直列回路）の電圧を検出するために設けられたスイッチＳＷＢと、電池セルＢ２４〜Ｂ３６の直列接続体（第２直列回路）の電圧を検出するために設けられたスイッチＳＷＣと、を有する構成としてもよい。スイッチＳＷＢがオン状態とされることで、抵抗素子ＲＢ１，ＲＢ２によって分圧された電圧がＭＵＸ２１に入力され、また、スイッチＳＷＣがオン状態とされることで、抵抗素子ＲＣ１，ＲＣ２によって分圧された電圧がＭＵＸ２１に入力される。
【００５５】
この場合、スイッチＳＷＢをオン状態にすることで、電池セルＢ１１〜Ｂ２３、及び、ワイヤーＷ１及びダイオードＤＷ１を含む閉回路が形成され、電池セルＢ１１〜Ｂ２３の電圧によりワイヤーＷ１及びダイオードＤＷ１に電流が流れる。
【００５６】
このため、スイッチＳＷＢをオン状態とすることで、ワイヤーＷ１の開異常を判定することが可能になる。同様に、スイッチＳＷＣをオン状態とすることで、ワイヤーＷ２の開異常を判定することが可能になる。
【００５７】
このように、ワイヤーＷ１における開異常を判定するためには、ワイヤーＷ１及びダイオードＤＷ１に対して電流が流れる閉回路を形成すればよい。このため、例えば、ワイヤーＷ１と電池セルＢ１６とを含むような閉回路を形成するスイッチを設ける構成としてもよい。同様に、ワイヤーＷ２と電池セルＢ２６とを含むような閉回路を形成するスイッチを設ける構成としてもよい。
【００５８】
・電池セルとして、リチウムイオン二次電池に代えて、ニッケル水素二次電池などを用いてもよい。また、電池セルとして、二次電池に代えて、燃料電池などを用いてもよい。
【００５９】
・上記実施形態では、監視回路２０と制御装置３０とを別体として備える構成としたが、これを変更し、監視回路と制御装置とを一体として備える構成、例えば、監視回路が制御装置を内蔵する構成としてもよい。
【００６０】
・ブロック同士を直列接続する接続部材として、上記実施形態におけるワイヤーＷ１，Ｗ２に代えて、金属製の棒状の部材であるバスバーや、金属板などを用いてもよい。
【００６１】
・上記実施形態では、電圧Ｖ１，Ｖ２を、所定の閾値であるダイオードＤＷ１，ＤＷ２の順方向降下電圧Ｖｆと同一である場合に開異常が生じていると判定する構成としたがこれを変更してもよい。スイッチＳＷをオン状態とした状況下における電圧Ｖ１，Ｖ２の検出値と、正常値（０Ｖ）との差異が、順方向降下電圧Ｖｆに基づいて設定される所定の閾値（例えば、Ｖｆ／２）以上である場合に、ワイヤーＷ１，Ｗ２に開異常が生じていると判定するものであってもよい。
【符号の説明】
【００６２】
１０…組電池、２０…監視回路、３０…制御装置（第１異常判定部）、ＢＬ１，ＢＬ２，ＢＬ３…ブロック、Ｂ１１〜Ｂ３６…電池セル、ＤＷ１，ＤＷ２…ダイオード、ＳＷ…スイッチ（閉回路形成部）、Ｗ１，Ｗ２…ワイヤー（接続部材）。
【図１】
0006558204.tif 000002
【図２】
0006558204.tif 000003
【図３】
0006558204.tif 000004